(57)【要約】【課題】冷蔵庫本体の天壁部に設置された冷却ユニットに対して遮音部材を簡易に後付けできるようにする。【解決手段】遮音部材８は、冷蔵対象物を内部に収容する冷蔵庫本体２の天壁部２ａ上に冷蔵庫本体２内を冷却するための冷却ユニット６の庫外部１０が設置され、その庫外部１０の筐体１２の側壁１２ｂに吸気口１２ｃが設けられたプレハブ冷蔵庫に取り付けられるものであって、吸気口１２ｃの外側に配置される遮音壁３２と、遮音壁３２に設けられ、庫外部１０の筐体１２に磁力によって取り付け可能に構成された取着部３４とを備えている。【選択図】図１
2009019800.tif 000002
【特許請求の範囲】
【請求項１】
冷蔵対象物を内部に収容する冷蔵庫本体の天壁部上に前記冷蔵庫本体内を冷却するための冷却ユニットの庫外部が設置され、その庫外部の筐体の側壁に吸気口が設けられたプレハブ冷蔵庫に取り付けられる遮音部材であって、
前記吸気口の外側に配置される遮音壁と、
前記遮音壁に設けられ、前記庫外部の筐体に磁力によって取り付け可能に構成された取着部とを備えた、遮音部材。
【請求項２】
冷蔵対象物を内部に収容する冷蔵庫本体の天壁部上に前記冷蔵庫本体内を冷却するための冷却ユニットの庫外部が設置され、その庫外部の筐体の側壁に吸気口が設けられたプレハブ冷蔵庫に取り付けられる遮音部材であって、
前記吸気口の外側に配置される遮音壁と、
前記遮音壁に設けられ、前記庫外部の筐体の所定箇所に掛止可能に構成された掛止部とを備えた、遮音部材。
【請求項３】
前記遮音壁は、上方へ開口するように前記吸気口の外側に設置される、請求項１または２に記載の遮音部材。
【請求項４】
前記遮音壁には、防音材が設けられている、請求項１〜３のいずれか１項に記載の遮音部材。
【請求項５】
前記遮音壁と前記庫外部の筐体の外面との間の隙間を閉塞するための封止材を備えた、請求項１〜４のいずれか１項に記載の遮音部材。
【請求項６】
請求項１に記載の前記冷蔵庫本体内を冷却するための冷却ユニットと前記取着部を有する遮音部材とを備えた冷却装置であって、
前記冷却ユニットの庫外部の筐体には、前記遮音部材の取着部を嵌め込むための凹部が形成されている、冷却装置。
【発明の詳細な説明】
【技術分野】
【０００１】
本発明は、遮音部材及び冷却装置に関するものである。
【背景技術】
【０００２】
従来、現場で断熱パネル等の構成部材を組み合わせて作製されるプレハブ冷蔵庫が知られている（例えば、特許文献１参照）。このプレハブ冷蔵庫では、断熱パネルが組み合わされることにより冷蔵対象物を内部に収容する冷蔵庫本体が形成されるとともに、その冷蔵庫本体内を冷却するための冷却ユニットが冷蔵庫本体に取り付けられる。
【０００３】
図８には、前記プレハブ冷蔵庫の構造の一例が示されている。このプレハブ冷蔵庫では、冷蔵庫本体１０２の天壁部１０２ａに冷却ユニット１０４が取り付けられており、その冷却ユニット１０４の庫外部１０４ａが前記天壁部１０２ａ上に設置されている。この冷却ユニット１０４の庫外部１０４ａは、筐体１０５内に図略の凝縮器、圧縮機、蒸発器、送風ファン及び電装品等が収納された構成を有している。筐体１０５の１つの側壁１０５ａには、筐体１０５内へ空気を取り込むための吸気口１０５ｂが設けられている。そして、筐体１０５内において前記吸気口１０５ｂに近接した位置に前記凝縮器が設置されており、吸気口１０５ｂを通じて取り込まれる空気を利用して前記凝縮器で冷媒ガスの凝縮が行われるようになっている。
【特許文献１】特開平５−１８６５３号公報
【発明の開示】
【発明が解決しようとする課題】
【０００４】
上記のプレハブ冷蔵庫では、冷却ユニット１０４の庫外部１０４ａにおいて吸気口１０５ｂから筐体１０５内の圧縮機や送風ファンのモータ等の騒音が漏出する虞がある。吸気口１０５ｂから漏出した騒音は、吸気口１０５ｂが前記庫外部１０４ａの筐体１０５の側壁１０５ａに設けられていることに起因して、プレハブ冷蔵庫の周囲にいる人に直接伝わるという不都合がある。
【０００５】
ところで、特開平２００１−１０８２６２号公報には、空調機の室外機から発生する騒音を低減することを目的として、室外機の空気の吐出口を覆うように静音フード等の遮音部材を設けることが開示されている。そこで、このような遮音部材を前記冷却ユニット１０４の庫外部１０４ａの吸気口１０５ｂに設けて騒音の低減を図ることも考えられる。
【０００６】
しかしながら、前記冷却ユニット１０４は冷蔵庫本体１０２の天壁部１０２ａに設置されているため、作業者が遮音部材を後付けで冷却ユニット１０４に取り付ける際、前記天壁部１０２ａ上で煩雑な取り付け作業を行わなくても良いように遮音部材をできるだけ簡易に冷却ユニット１０４に取り付けできることが望まれる。
【０００７】
本発明は、上記の課題を解決するためになされたものであり、その目的は、冷蔵庫本体の天壁部に設置された冷却ユニットに対して遮音部材を簡易に後付けできるようにすることである。
【課題を解決するための手段】
【０００８】
上記目的を達成するために、本発明による遮音部材は、冷蔵対象物を内部に収容する冷蔵庫本体の天壁部上に前記冷蔵庫本体内を冷却するための冷却ユニットの庫外部が設置され、その庫外部の筐体の側壁に吸気口が設けられたプレハブ冷蔵庫に取り付けられる遮音部材であって、前記吸気口の外側に配置される遮音壁と、前記遮音壁に設けられ、前記庫外部の筐体に磁力によって取り付け可能に構成された取着部とを備えている。
【０００９】
この遮音部材は、遮音壁に設けられた取着部が冷却ユニットの庫外部の筐体に磁力によって取り付け可能に構成されているので、前記取着部を冷却ユニットの庫外部の筐体に接触させるだけで遮音部材を冷却ユニットの庫外部に取り付けることができる。このため、冷却ユニットが冷蔵庫本体の天壁部に設置されている場合でも、作業者が冷蔵庫本体の天壁部上で煩雑な作業を行うことなく、遮音部材を簡易に冷却ユニットの庫外部に取り付けることができる。従って、この遮音部材では、冷蔵庫本体の天壁部に設置された冷却ユニットに対して簡易に後付けすることができる。
【００１０】
また、本発明による遮音部材は、冷蔵対象物を内部に収容する冷蔵庫本体の天壁部上に前記冷蔵庫本体内を冷却するための冷却ユニットの庫外部が設置され、その庫外部の筐体の側壁に吸気口が設けられたプレハブ冷蔵庫に取り付けられる遮音部材であって、前記吸気口の外側に配置される遮音壁と、前記遮音壁に設けられ、前記庫外部の筐体の所定箇所に掛止可能に構成された掛止部とを備えている。
【００１１】
この遮音部材は、遮音壁に設けられた掛止部が冷却ユニットの庫外部の筐体の所定箇所に掛止可能に構成されているので、前記掛止部を前記庫外部の筐体の所定箇所に掛止するだけで遮音部材を冷却ユニットの庫外部に取り付けることができる。このため、冷却ユニットが冷蔵庫本体の天壁部に設置されている場合でも、作業者が冷蔵庫本体の天壁部上で煩雑な作業を行うことなく、遮音部材を簡易に冷却ユニットの庫外部に取り付けることができる。従って、この遮音部材では、冷蔵庫本体の天壁部に設置された冷却ユニットに対して簡易に後付けすることができる。
【００１２】
上記遮音部材において、前記遮音壁は、上方へ開口するように前記吸気口の外側に設置されるのが好ましい。このように構成すれば、遮音壁の開口を通じて前記吸気口から冷却ユニットの庫外部内への空気の取り入れを容易にすることができる。さらに、この構成では、前記遮音壁が上方へ開口するように前記吸気口の外側に設置されるので、遮音壁の前記開口を通じて騒音が外部へ漏出する場合でも、その騒音は上方へ抜け、プレハブ冷蔵庫の側方、すなわちプレハブ冷蔵庫の周囲にいる人には伝わりにくい。従って、この構成では、冷却ユニットの庫外部内への空気の取り入れを容易にしながら、プレハブ冷蔵庫の周囲にいる人に伝わる騒音を低減することができる。また、遮音壁が側面において開口するように前記吸気口の外側に設置される場合には、その開口を通じて前記吸気口へ流れる空気の流れが遮音壁の側方から水平方向への流れになるため、この空気の流れによって生じる音がプレハブ冷蔵庫の側方にいる人に伝わりやすい。これに対して、上記構成では、遮音壁の上面が開口しているので、この開口を通じて前記吸気口に流れる空気の流れが上方から下方へ向かう流れとなる。このため、遮音壁の側面が開口している場合に比べて、遮音壁の開口から前記吸気口への空気の流れによって生じる騒音をプレハブ冷蔵庫の側方にいる人に聞こえにくくすることができる。
【００１３】
上記遮音部材において、前記遮音壁には、防音材が設けられているのが好ましい。このように構成すれば、防音材によって、前記吸気口から漏出する騒音がプレハブ冷蔵庫の周囲にいる人に伝わるのをより抑制することができる。
【００１４】
上記冷却ユニットの遮音部材において、前記遮音壁と前記庫外部の筐体の外面との間の隙間を閉塞するための封止材を備えているのが好ましい。このように構成すれば、封止材により遮音壁と冷却ユニットの庫外部の筐体の外面との間の隙間を閉塞することができるので、この隙間を通じて騒音が漏出するのを抑制することができる。このため、前記吸気口から漏出する騒音がプレハブ冷蔵庫の周囲にいる人に伝わるのをより抑制することができる。
【００１５】
本発明による冷却装置は、前記冷蔵庫本体内を冷却するための冷却ユニットと前記取着部を有する遮音部材とを備えた冷却装置であって、前記冷却ユニットの庫外部の筐体には、前記遮音部材の取着部を嵌め込むための凹部が形成されている。
【００１６】
この冷却装置では、冷却ユニットの庫外部の筐体に遮音部材の取着部を嵌め込むための凹部が形成されているので、遮音部材を冷却ユニットの庫外部の筐体に取り付けた後、遮音部材が冷却ユニットの庫外部に対して位置ずれを生じるのを抑制することができる。
【発明の効果】
【００１７】
以上説明したように、本発明によれば、冷蔵庫本体の天壁部に設置された冷却ユニットに対して遮音部材を簡易に後付けすることができる。
【発明を実施するための最良の形態】
【００１８】
以下、本発明の実施形態を図面を参照して説明する。
【００１９】
図１は、本発明の一実施形態による遮音部材８を含む冷却装置４を適用したプレハブ冷蔵庫の斜視図である。図２は、図１に示した冷却装置４の冷却ユニット６内の構造を説明するための概略図である。まず、図１及び図２を参照して、本発明の一実施形態による遮音部材８を含む冷却装置４の構成と、この冷却装置４を適用したプレハブ冷蔵庫の構成とについて説明する。
【００２０】
本実施形態によるプレハブ冷蔵庫は、図１に示すように、冷蔵庫本体２と冷却装置４とを備えている。
【００２１】
前記冷蔵庫本体２は、その内部に冷蔵対象物を収容するものである。この冷蔵庫本体２は、断熱パネルからなる各壁部が現場で相互に接続されることによって中空の箱型に形成されている。
【００２２】
前記冷却装置４は、冷却ユニット６と遮音部材８からなり、前記冷蔵庫本体２内を冷却するものである。
【００２３】
前記冷却ユニット６は、冷気を生成するとともにその冷気を前記冷蔵庫本体内に供給することによって冷蔵庫本体２内を冷却する。この冷却ユニット６は、庫外部１０と、図略の送風ダクトとによって構成されている。
【００２４】
前記庫外部１０は、前記冷蔵庫本体２の天壁部２ａ上に設置されている。この庫外部１０は、図２に示すように、筐体１２と、断熱部１３と、凝縮器１４と、凝縮器用ファン１６と、蒸発器１８と、蒸発器用ファン２０と、圧縮機２２と、膨張機構２４と、電装品２６とを有する。
【００２５】
前記筐体１２は、板金が曲げ加工されることによって形成された中空の箱体であり、この筐体１２の内部に断熱部１３、凝縮器１４、凝縮器用ファン１６、蒸発器１８、蒸発器用ファン２０、圧縮機２２、膨張機構２４及び電装品２６が収容されている。すなわち、本実施形態による冷却ユニット６は、庫外部１０の筐体１２内に凝縮器１４と蒸発器１８の両方が収められた一体形の冷却ユニットとなっている。
【００２６】
そして、筐体１２内の空間は、断熱部１３によって第１室Ｓ１と第２室Ｓ２とに仕切られている。断熱部１３は、箱型に構成されており、筐体１２内において当該筐体１２を構成する背面側の側壁１２ａ近傍の位置に設置されている。前記第１室Ｓ１は、この断熱部１３によって囲まれた空間であり、前記第２室Ｓ２は、筐体１２内の断熱部１３で囲まれた空間以外の空間である。そして、断熱部１３によって前記第１室Ｓ１と前記第２室Ｓ２との間が断熱されており、前記第１室Ｓ１内を低温に保持可能となっている。
【００２７】
冷蔵庫本体２の天壁部２ａの前記第１室Ｓ１に対応する部分には、図略の開口部が形成されており、この開口部に冷蔵庫本体２内へ延びる図略の送風ダクトが接続されている。すなわち、この図略の送風ダクトを通じて前記第１室Ｓ１と冷蔵庫本体２内が連通している。
【００２８】
また、筐体１２を構成する正面側の側壁１２ｂには、筐体１２内に空気を取り込むための吸気口１２ｃが設けられている。また、筐体１２の天井壁１２ｄ（図１参照）には、筐体１２内から空気を排出するための排気口１２ｅが設けられている。
【００２９】
前記凝縮器１４は、前記吸気口１２ｃを通じて筐体１２内に取り込まれた外部の空気との熱交換によって冷媒ガスを凝縮させるものである。この凝縮器１４は、筐体１２内の前記第２室Ｓ２において前記吸気口１２ｃに近接した位置に設置されている。
【００３０】
前記凝縮器用ファン１６は、モータによって駆動され、前記凝縮器１４での熱交換に供する空気を前記吸気口１２ｃから吸気するものである。この凝縮器用ファン１６は、筐体１２内の前記第２室Ｓ２において前記凝縮器１４に対して前記吸気口１２ｃと反対側に配設されている。そして、この凝縮器用ファン１６によって吸い込まれた空気は、凝縮器１４での熱交換に利用された後、筐体１２の前記排気口１２ｅを通じて外部へ排出される。
【００３１】
前記蒸発器１８は、前記断熱部１３内の第１室Ｓ１に設置されている。この蒸発器１８は、前記凝縮器１４から前記膨張機構２４を経て流入する低温の冷媒液を用いて冷気を生成する。具体的には、蒸発器１８では、前記低温の冷媒液と冷蔵庫本体２内から導入された空気との熱交換により冷気が生成される。そして、熱交換に用いられた冷媒液は蒸発して冷媒ガスとなり、前記圧縮機２２へ吸入される。
【００３２】
前記蒸発器用ファン２０は、モータによって駆動され、前記蒸発器１８で生成された冷気を前記図略の送風ダクトを通じて冷蔵庫本体２内へ送風するものである。このように冷気が冷蔵庫本体２内へ送風されることによって、当該冷蔵庫本体２内が冷却されるようになっている。そして、この蒸発器用ファン２０は、前記断熱部１３内の第１室Ｓ１において前記蒸発器１８に対して前記筐体１２の背面側の側壁１２ａと反対側に配置されている。
【００３３】
前記圧縮機２２は、前記蒸発器１８から流れてくる冷媒ガスを圧縮して前記凝縮器１４へ吐出するものである。この圧縮機２２は、筐体１２内の第２室Ｓ２において前記凝縮器用ファン１６と前記断熱部１３との間に配設されている。
【００３４】
前記膨張機構２４は、前記凝縮器１４によって作られた高温高圧の冷媒液を低温低圧の冷媒液にして容易に蒸発しうる状態にするものである。この膨張機構２４としては、各種膨張弁やキャピラリーチューブ等が用いられる。
【００３５】
前記電装品２６は、筐体１２内に設置された上記各機器の電気的な制御を行うためのものであり、筐体１２内において、凝縮器１４、凝縮器用ファン１６及び圧縮機２２の側方に配置されている。
【００３６】
本実施形態による前記遮音部材８は、冷却ユニット６の庫外部１０の前記正面側の側壁１２ｂの外面に取り付けられるものであり、前記吸気口１２ｃから漏出する騒音を遮ってプレハブ冷蔵庫の周囲にいる人に伝わる騒音を低減するためのものである。
【００３７】
具体的には、前記庫外部１０の筐体１２内に収められた圧縮機２２と凝縮器用ファン１６のモータからは各種の騒音が発生する。この騒音は、前記吸気口１２ｃを通じて外部に漏出する。この際、遮音部材８が設けられていなければ、前記吸気口１２ｃが筐体１２の正面側の側壁１２ｂに開口していることに起因して、プレハブ冷蔵庫の周囲にいる人に前記騒音が直接伝わる。そこで、本実施形態では、前記遮音部材８を前記吸気口１２ｃの外側を囲むように取り付け、前記吸気口１２ｃから漏出する騒音を遮る。この遮音部材８は、遮音壁３２と、取着部３４と、防音材３６とを有している。
【００３８】
前記遮音壁３２は、吸気口１２ｃから漏出する騒音の伝達を遮るものである。この遮音壁３２は、前記冷蔵庫本体２の天壁部２ａ上に載置されるとともに、前記吸気口１２ｃの外側にこの吸気口１２ｃを囲むように配置される。また、この遮音壁３２は、前記吸気口１２ｃの外側に上方へ開口するように設置される。
【００３９】
具体的には、遮音壁３２は、曲げ加工された板金からなり、直線的に延びる正面壁部３２ａと、その正面壁部３２ａの長手方向の両端部からそれぞれ垂直に立ち上げられた側壁部３２ｂ，３２ｂとによって構成されている。
【００４０】
前記正面壁部３２ａは、前記吸気口１２ｃの正面側を覆うように配置される部分である。この正面壁部３２ａは、筐体１２の前記側壁１２ｂに対して平行かつ間隔をあけて配置される。そして、正面壁部３２ａは、上下方向及び長手方向において筐体１２の側壁１２ｂと略等しい寸法を有する。
【００４１】
前記各側壁部３２ｂは、前記正面壁部３２ａの対応する端部から前記筐体１２の側壁１２ｂ側へ向かって延設されている。この側壁部３２ｂ，３２ｂによって、正面壁部３２ａと筐体１２の側壁１２ｂとの間の空間の左右両側が遮蔽されている。そして、各側壁部３２ｂは、上下方向において筐体１２の側壁１２ｂ及び前記正面壁部３２ａと略等しい寸法を有する。
【００４２】
そして、遮音壁３２が冷蔵庫本体２の天壁部２ａ上に載置された状態で、前記正面壁部３２ａ及び前記両側壁部３２ｂ，３２ｂの下端と冷蔵庫本体２の天壁部２ａの上面とが隙間なく密着され、この正面壁部３２ａ及び前記両側壁部３２ｂ，３２ｂの下端と前記天壁部２ａの上面との間から騒音は漏出しない。なお、前記正面壁部３２ａ及び前記両側壁部３２ｂ，３２ｂの下端と冷蔵庫本体２の天壁部２ａの上面を隙間なく密着させるのが困難な場合には、前記正面壁部３２ａ及び前記両側壁部３２ｂ，３２ｂの下端側の開口を遮蔽する底部を設け、前記下端側の開口から騒音が漏出するのを防ぐようにしてもよい。
【００４３】
そして、遮音部材８が筐体１２の側壁１２ｂに取り付けられた状態で、遮音壁３２の正面壁部３２ａ及び両側壁部３２ｂ，３２ｂと筐体１２の側壁１２ｂとによって囲まれた空間が上方に開口している。この開口を通じて吸気口１２ｃから筐体１２内に空気が取り込まれるようになっている。この際、吸気口１２ｃに取り込まれる空気の流れは、前記開口を通じて上方から下方へ向かう流れとなる。一方、吸気口１２ｃから漏出する前記騒音は、遮音壁３２と冷蔵庫本体２の天壁部２ａによって遮られて、プレハブ冷蔵庫の側方、すなわちプレハブ冷蔵庫の周囲にいる人に直接伝わらず、前記開口を通って上方へ抜ける。
【００４４】
前記取着部３４は、遮音壁３２の各側壁部３２ｂの前記正面壁部３２ａと反対側の端部に設けられている。この取着部３４は、前記庫外部１０の筐体１２の側壁１２ｂの外面に取り付けられる部分である。この取着部３４は、磁力によって前記筐体１２の側壁１２ｂに取り付け可能に構成されている。
【００４５】
具体的には、取着部３４は、固定部３４ａと、マグネット３４ｂとによって構成されている。
【００４６】
前記固定部３４ａは、前記マグネット３４ｂが固定される部分であり、遮音壁３２の各側壁部３２ｂの前記正面壁部３２ａと反対側の端部からそれぞれ延設されている。この固定部３４ａは、側壁部３２ｂの前記正面壁部３２ａと反対側の端部から内側へ垂直に立ち上げられている。
【００４７】
前記マグネット３４ｂは、薄板状に形成されており、前記固定部３４ａの外面、すなわち固定部３４ａの前記側壁１２ｂに臨む面の全体にわたって貼り付けられている。このマグネット３４ｂの磁力により、取着部３４（マグネット３４ｂ）を前記筐体１２の側壁１２ｂの外面に接触させるだけでその側壁１２ｂの外面に取り付けられるようになっている。すなわち、ボルト・ナットで遮音部材８を前記筐体１２に締結するような場合と異なり、ボルト孔を筐体１２にあけたり、締結作業を行ったりする必要がないので、遮音部材８を筐体１２に簡易に後付け可能である。
【００４８】
前記防音材３６は、遮音壁３２の内面全体に貼り付けられている。この防音材３６としては、発泡ウレタンやスポンジまたはこれら以外の一般に防音材に適用される種々の材質のものを用いることが可能である。この防音材３６によって、前記吸気口１２ｃから漏出した騒音がより遮音され又は吸音される。その結果、プレハブ冷蔵庫の周囲にいる人に前記騒音がより伝わりにくくなる。
【００４９】
次に、上記実施形態の遮音部材８による効果を調べるために行った実験について説明する。
【００５０】
この実験では、上記構成のプレハブ冷蔵庫において、前記吸気口１２ｃの正面に測定マイクを設置し、吸気口１２ｃから漏出する騒音の音量を測定した。この際、測定マイクは、前記凝縮器１４から１ｍ離れた位置に設置した。また、この測定時の外気温度は３２℃であった。主に騒音の音源となるのは、圧縮機２２と凝縮器用ファン１６のモータであり、この圧縮機２２としては出力７５０Ｗの横型スクロール圧縮機を用い、凝縮器用ファン１６のモータとしては出力３５０Ｗの単相交流ファンモータをそれぞれ用いた。
【００５１】
この条件において、冷却ユニット６の庫外部１０の筐体１２に遮音部材８を取り付けた場合と遮音部材８を取り付けていない場合の両方について騒音の測定を行った。その結果、遮音部材８を前記庫外部１０の筐体１２に取り付けることによって、遮音部材８を取り付けていない場合に比べて、騒音を約３ｄＢ低減できることがわかった。この結果から、上記実施形態による遮音部材８を前記庫外部１０の筐体１２に前記吸気口１２ｃを覆うように取り付けることによって、プレハブ冷蔵庫の周囲にいる人に伝わる騒音を低減できることが判明した。
【００５２】
以上説明したように、本実施形態では、遮音壁３２に設けられた取着部３４が冷却ユニット６の庫外部１０の筐体１２に磁力によって取り付け可能に構成されているので、前記取着部３４を前記庫外部１０の筐体１２の外面に接触させるだけで遮音部材８を冷却ユニット６の庫外部１０に取り付けることができる。このため、冷却ユニット６が冷蔵庫本体２の天壁部２ａに設置されている場合でも、作業者が冷蔵庫本体２の天壁部２ａ上で煩雑な作業、例えば冷却ユニット６の庫外部１０の筐体１２にボルト孔を形成し、そのボルト孔にボルトを挿通して遮音部材８と庫外部１０の筐体１２をボルト・ナットで締結する作業などを行うことなく、遮音部材８を簡易に冷却ユニット６の庫外部１０に取り付けることができる。従って、本実施形態では、冷蔵庫本体２の天壁部２ａに設置された冷却ユニット６の庫外部１０に対して遮音部材８を簡易に後付けすることができる。
【００５３】
また、本実施形態では、遮音部材８の遮音壁３２が上方へ開口するように前記吸気口１２ｃの外側に配置されるので、遮音壁３２の上面の開口を通じて前記吸気口１２ｃから冷却ユニット６の庫外部１０内への空気の取り入れを容易にすることができる。さらに、遮音壁３２が上方へ開口するように前記吸気口１２ｃの外側に配置されることに起因して、遮音壁３２の上面の開口を通じて騒音が外部へ漏出する場合でも、その騒音は上方へ抜け、プレハブ冷蔵庫の側方、すなわちプレハブ冷蔵庫の周囲にいる人には伝わりにくい。従って、本実施形態では、冷却ユニット６の庫外部１０内への空気の取り入れを容易にしながら、プレハブ冷蔵庫の周囲にいる人に伝わる騒音を低減することができる。
【００５４】
また、遮音壁が側面において開口するように前記吸気口１２ｃの外側に配置されている場合には、その開口を通じて前記吸気口１２ｃへ流れる空気の流れが遮音壁の側方から水平方向への流れになるため、この空気の流れによって生じる音がプレハブ冷蔵庫の側方にいる人に伝わりやすい。これに対して、本実施形態では、遮音壁３２の上面が開口しているので、この開口を通じて前記吸気口１２ｃに流れる空気の流れが上方から下方へ向かう流れとなる。このため、遮音壁の側面が開口している場合に比べて、遮音壁３２の開口から前記吸気口１２ｃへの空気の流れによって生じる騒音をプレハブ冷蔵庫の側方にいる人に聞こえにくくすることができる。
【００５５】
また、本実施形態では、遮音壁３２の内面全体に防音材３６が貼り付けられているので、この防音材３６によって、前記吸気口１２ｃから漏出する騒音がプレハブ冷蔵庫の周囲にいる人に伝わるのをより抑制することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００５７】
上記実施形態では、遮音部材８の取着部３４のマグネット３４ｂを固定部３４ａの外面全体にわたって貼り付けた例を示したが、本発明はこの構成に限らず、上記以外の構成で取着部にマグネットを設けてもよい。
【００５８】
例えば、図３に示す上記実施形態の第１変形例のように取着部４４の固定部４４ａの外面の一部分にマグネット４４ｂを取り付けてもよい。この変形例では、一対のマグネット４４ｂ，４４ｂが上下に間隔をあけて固定部４４ａに取り付けられている。そして、前記庫外部１０の筐体１２の側壁１２ｂの外面に前記取着部４４のマグネット４４ｂ，４４ｂを嵌め込むための凹部１２ｆ，１２ｆが形成されているのが好ましい。この各凹部１２ｆは、それに嵌め込まれる各マグネット４４ｂに対応する位置に配置されているとともに、その各マグネット４４ｂに対応する深さ及び形状を有している。そして、前記マグネット４４ｂ，４４ｂが凹部１２ｆ，１２ｆに嵌め込まれることによって、前記庫外部１０の筐体１２に対する遮音部材８の位置ずれが抑制される。
【００５９】
さらに、この第１変形例の構成では、図４に示すように、遮音壁３２の側壁部３２ｂの端部と前記筐体１２の外面との接合部に上下方向に沿って封止材５０が施されている。この封止材５０としては、コーキング材や各種シーリング材またはこれら以外の種々の封止材を用いることができる。そして、封止材５０により、遮音壁３２の側壁部３２ｂの端部と前記庫外部１０の筐体１２の外面との間の隙間が閉塞される。
【００６０】
上記第１変形例の構成では、前記庫外部１０の筐体１２の側壁１２ｂに遮音部材８の取着部４４のマグネット４４ｂ，４４ｂを嵌め込むための凹部１２ｆ，１２ｆが形成されているので、遮音部材８を前記庫外部１０の筐体１２の側壁１２ｂに取り付けた後、遮音部材８が前記庫外部１０に対して位置ずれを生じるのを抑制することができる。
【００６１】
また、上記第１変形例の構成では、遮音部材８の遮音壁３２の側壁部３２ｂの端部と前記庫外部１０の筐体１２の外面との隙間が封止材５０によって閉塞されるので、前記隙間を通じて騒音が遮音部材８の外側に漏出するのを防ぐことができる。このため、前記吸気口１２ｃから漏出する騒音がプレハブ冷蔵庫の周囲にいる人に伝わるのをより抑制することができる。
【００６２】
また、図５及び図６に示す上記実施形態の第２変形例のように、上記実施形態のマグネット３４ｂの代わりに冷却ユニット６の庫外部１０の筐体１２の突起部１２ｈに掛止可能に構成された掛止部５４を遮音部材８に設けてもよい。
【００６３】
具体的には、冷却ユニット６の庫外部１０の筐体１２の吸気口１２ｃが設けられた側壁１２ｂの左右両端に繋がり、前記吸気口１２ｃが設けられた側壁１２ｂに対して垂直に配置された側壁１２ｇ，１２ｇには、一対の突起部１２ｈ，１２ｈがそれぞれ設けられている。この一対の突起部１２ｈ，１２ｈは、側壁１２ｇの外面から垂直に突出しているとともに、上下に間隔をあけて配置されている。
【００６４】
そして、遮音部材８の遮音壁３２の各側壁部３２ｂ，３２ｂには、一対の掛止部５４，５４がそれぞれ設けられている。この各掛止部５４は、それぞれ対応する前記突起部１２ｈに掛止されるものである。そして、各掛止部５４は、遮音壁３２の側壁部３２ｂの前記正面壁部３２ａと反対側の端部から前記庫外部１０の筐体１２側に突出するように遮音壁３２の側壁部３２ｂの外面に取り付けられている。各掛止部５４の前記側壁部３２ｂの端部から突出した部分には、図７に示すように、掛止部５４を前記突起部１２ｈに掛止する際に前記突起部１２ｈが嵌め込まれる切欠き部５４ａが形成されている。この切欠き部５４ａは、掛止部５４の前記側壁部３２ｂの端部から突出した部分の下端から上方に延びている。
【００６５】
掛止部５４を前記突起部１２ｈに掛止する際には、前記突起部１２ｈの上方で前記切欠き部５４ａが前記突起部１２ｈの位置に合うように遮音部材８を配置し、その後、遮音部材８を下方に移動させることによって、掛止部５４の切欠き部５４ａに前記突起部１２ｈを嵌め込む。
【００６６】
この第２変形例では、遮音壁３２に設けられた掛止部５４が冷却ユニット６の庫外部１０の筐体１２の突起部１２ｈに掛止可能に構成されているので、前記掛止部５４を前記庫外部１０の筐体１２の突起部１２ｈに掛止するだけで遮音部材８を冷却ユニット６の庫外部１０に取り付けることができる。このため、冷却ユニット６が冷蔵庫本体２の天壁部２ａに設置されている場合でも、作業者が冷蔵庫本体２の天壁部２ａ上で煩雑な作業、例えば冷却ユニット６の庫外部１０の筐体１２にボルト孔を形成し、そのボルト孔にボルトを挿通して遮音部材８と庫外部１０の筐体１２をボルト・ナットで締結する作業などを行うことなく、遮音部材８を簡易に冷却ユニット６の庫外部１０に取り付けることができる。従って、この第２変形例でも、上記実施形態と同様、遮音部材８を冷蔵庫本体２の天壁部２ａに設置された冷却ユニット６に対して簡易に後付けすることができる。
【００６７】
なお、この第２変形例では、冷却ユニット６の庫外部１０の筐体１２の突起部１２ｈに遮音部材８の掛止部５４を掛止する構成を示したが、前記庫外部１０の筐体１２の所定箇所に遮音部材８の掛止部を掛止できる構成であれば、上記以外のどのような構成であってもよい。すなわち、掛止部の構造、位置または数や、冷却ユニットの庫外部のうち掛止部が掛止される部分の構造などは上記したものに限らず、種々の構成を適用することが可能である。その一例として、例えば、前記掛止部５４を遮音壁３２の側壁部３２ｂに軸支させるように変更し、遮音部材８を冷蔵庫本体２の天壁部２ａ上の適切な位置に載置してから掛止部５４を軸回りに回動させて前記突起部１２ｈに掛止するようにしてもよい。
【００６８】
また、上記実施形態では、遮音壁３２が前記吸気口１２ｃの外側に上方に開口するように設置される構成としたが、本発明はこの構成に限らない。例えば、遮音壁３２の上面が板金によって塞がれており、側壁部３２ｂの一部が開口しているような構成であってもよい。
【図面の簡単な説明】
【００６９】
【図１】本発明の一実施形態による遮音部材を含む冷却装置を適用したプレハブ冷蔵庫の斜視図である。
【図２】図１に示した冷却装置の冷却ユニットの庫外部内の構造を説明するための概略図である。
【図３】本発明の一実施形態の第１変形例による遮音部材と冷却ユニットの庫外部の筐体との接合部の構造を説明するための分解側面図である。
【図４】図３に示した第１変形例による遮音部材と冷却ユニットの庫外部の筐体との接合部の側面図である。
【図５】本発明の一実施形態の第２変形例による遮音部材を含む冷却装置を適用したプレハブ冷蔵庫の斜視図である。
【図６】図５に示した第２変形例による冷却装置の冷却ユニットの庫外部内の構造を示した概略図である。
【図７】図５に示した第２変形例による遮音部材と冷却ユニットの庫外部の筐体との接合部の側面図である。
【図８】従来のプレハブ冷蔵庫の構造の一例を示した斜視図である。
【符号の説明】
【００７０】
２  冷蔵庫本体
２ａ  天壁部
４  冷却装置
６  冷却ユニット
８  遮音部材
１０  庫外部
１２  筐体
１２ｂ  側壁
１２ｃ  吸気口
１２ｆ  凹部
３２  遮音壁
３４、４４  取着部
３６  防音材
５０  封止材
５４  掛止部
【図１】
2009019800.tif 000003
【図２】
2009019800.tif 000004
【図３】
2009019800.tif 000005
【図４】
2009019800.tif 000006
【図５】
2009019800.tif 000007
【図６】
2009019800.tif 000008
【図７】
2009019800.tif 000009
【図８】
2009019800.tif 000010